(57)【特許請求の範囲】
【請求項１】
内側の底部に排水管の口が上向きに開口させてあって、該排水管の口の上方にゴミ収集かごと内蓋が上下に配置されるようにしてある排水溝のトラップにおける上記排水管の口を閉塞して上記トラップ内に貯水できるようにする中蓋を、上記内蓋に連結捧を介し連結して、該中蓋と内蓋を一体構造とし、且つ上記内蓋を介して中蓋を、上記排水管の口を閉塞させる位置と該排水管の口から外れた上方位置とに保持できるように、上記トラップの内壁面に設けた係止部に内蓋を係止させるための係止片を、該内蓋外周面の複数箇所に上下に位置をずらしてそれぞれ設けてなり、上記内蓋を介し中蓋を押し下げて排水管の口を閉塞してトラップ内に貯水し滑り取りが終ると、内蓋外周面の下側に位置する係止片をトラップ内側の係止部に係止させることにより中蓋を排水管の口の上方位置に保持できてトラップ内の排水ができるようにした構成を有することを特徴とする排水溝の滑り取り用蓋。
【請求項２】
中蓋と内蓋の連結を、中蓋の中央部上面と内蓋天井部の中央部との間に配した連結棒で一体に連結して行うようにした請求項１記載の排水溝の滑り取り用蓋。
【発明の詳細な説明】
【技術分野】
【０００１】  本発明は台所等の排水溝の滑り取りをするときに排水管を閉塞させるようにする排水溝の滑り取り用蓋に関するものである。
【背景技術】
【０００２】  一例として、台所の排水溝１は、図５及び図６に示す如く、流し台２の所要箇所に設けられており、その構造はトラップ３と、そのトラップ３の内側に上下に配置してあるゴミ収集かご４、及び内蓋５、トラップ３の底部に開口させてある排水管６とからなっている。７は洗剤置き場で、トラップ３内に連通させてある。排水溝はヌルヌルしていて汚く、狭いところであまり触りたくない。しかし、洗浄しないと汚れは増し黒ずみも出る・悪臭もする。流しの洗剤置き場７に通じる横溝には指も入らない。【０００３】  そのため近年では図６に示すような排水溝１のゴミ収集かご４の中に、所要の大きさの薬剤を入れておき、排水溝１に水が流れることにより薬剤が溶けて流れることでゴミ収集かご４、トラップ３、内蓋５、等の表面の滑りを取るようにしたものが提案されている。また、上記薬剤は市販されているものである（たとえば、非特許文献１参照）。【０００４】
【非特許文献】ｊｏｉｎｔｅｘ（ジョインテックス）０５ｐ７４１  ｈｔｔｐ；／／ｗｗｗ．Ｊｏｉｎｔｅｘ．Ｃｏ．Ｊｐ
【発明の開示】
【発明が解決しようとする課題】
【０００５】ところが従来の方法は、薬剤をトラップ３にあるゴミ収集かご４の中に入れるため、洗剤置き場のステンレスを腐食させる問題があった。また、完全に滑りが取れないので洗浄は不可欠である。【０００６】  そこで、本発明は、腐食させず簡単に滑りを取るために排水管を閉塞させるようにする排水溝の滑り取り用蓋を提供しようとするものである。
【課題を解決するための手段】
【０００７】  本発明は、上記課題を解決するために、内側の底部に排水管の口が上向きに開口させてあって、該排水管の口の上方にゴミ収集かごと内蓋が上下に配置されるようにしてある排水溝のトラップにおける上記排水管の口を閉塞して上記トラップ内に貯水できるようにする中蓋を、上記内蓋に連結棒を介し連結して、該中蓋と内蓋を一体構造とし、且つ上記内蓋を介して中蓋を、上記排水管の口を閉塞させる位置と該排水管の口から外れた上方位置とに保持できるように、上記トラップの内壁面に設けた係止部に内蓋を係止させるための係止片を、該内蓋外周面の複数箇所に上下に位置をずらしてそれぞれ設けてなり、上記内蓋を介し中蓋を押し下げて排水管の口を閉塞してトラップ内に貯水し滑り取りが終ると、内蓋外周面の下側に位置する係止片をトラップ内側の係止部に係止させることにより中蓋を排水管の口の上方位置に保持できてトラップ内の排水ができるようにした構成とする。又、上記構成における中蓋と内蓋の連結を、中蓋の中央部上面と内蓋天井部の中央部との間に配した連結棒で一体に連結して行うようにした構成とする。
【発明の効果】
【０００８】  本発明の排水溝の滑り取り用蓋によれば、内側の底部に排水管の口が上向きに開口させてあって、該排水管の口の上方にゴミ収集かごと内蓋が上下に配置されるようにしてある排水溝のトラップにおける上記排水管の口を閉塞して上記トラップ内に貯水できるようにする中蓋を、上記内蓋に連結棒を介し連結して、該中蓋と内蓋を一俸構造とし、且つ上記内蓋を介して中蓋を、上記排水管の口を閉塞させる位置と該排水管の口から外れた上方位置とに保持できるように、上記トラップの内壁面に設けた係止部に内蓋を係止させるための係止片を、該内蓋外周面の複数箇所に上下に位置をずらしてそれぞれ設けてなり、上記内蓋を介し中蓋を押し下げて排水管の口を閉塞してトラップ内に貯水し滑り取りが終ると、内蓋外周面の下側に位置する係止片をトラップ内側の係止部に係止させることにより中蓋を排水管の口の上方位置に保持できてトラップ内の排水ができるようにした構成としてあり、更に、中蓋と内蓋の連結を、中蓋の中央部上面と内蓋天井部の中央部との間に配した連結棒で一体に連結して行うようにした構成としてあるので、内蓋を押し下げながら回して中蓋を排水管の口に嵌めるとともに内蓋外周面に設けた上側の係止片をトラップ内側の係止部に係止させることにより、排水管の口を閉塞することができ、トラップの内側部分に水を溜め、洗剤や漂白剤を混入して一定時間溜め置きすることにより、溜め置きした水が接触する部分の滑りや汚れをきれいに取り除くことができ、隅々までの汚れを取ることができ消臭できる。更に、上記溜め置きした水を排出するときは、内蓋を持ち上げながら回して、中蓋を排水管の口から外すとともに、内蓋に設けてある下側の係止片をトラップの内側面に設けた係止部に係止させることにより、中蓋を排水管の口から外れた上方位置に保持させておくことができ、この状態で水を排出することができる。
【発明を実施するための最良の形態】
【０００９】  以下、本発明を実施するための最良の形態を図面を参照して説明する。  図１は本発明の実施形態として、図６に示した排水溝１に適用するようにしたもので、排水管６の口６ａを中蓋８で閉塞してトラップ３内に水を溜めるようにする。上記中蓋８は排水管６の口６ａを水漏れしないように閉塞でき、且つ取り外しが容易に行えるようにしてある。９はシールパッキンである。【００１３】図１に示すように、上記中蓋８は、内蓋５と一体にする。すなわち、中蓋８の中央部上面と、内蓋５天井部の中央部等とを連結棒１０で連結して一体とする。【００１４】更に、内蓋５と中蓋８が排水管６の口６ａを塞ぐ位置と該口６ａの上方に外された位置とを保持できるようにするため、トラップ３側の係止部１１に係止させる係止片１２、１２ａを上下にずらして、外周面の複数箇所に設ける。【００１５】図１のゴミ収集かご４、内蓋５の外側・内側、トラップ３、洗剤置き場７に付着した滑りや黒ずみの除去を行う場合は、ゴミ収集かご４を取り外した後、図１に示すように、内蓋５を押し下げながら回して、中蓋８を排水管６の口６ａに嵌めるとともに、係止片１２ａをトラップ３の係止部１１に係止させるようにする。この状態でゴミ収集かご４を戻し、トラップ３の内側部分に水を溜め、洗剤や漂白剤を混入し一定時間溜め置きするようにする。これにより、溜め置きした水が接触する部分の滑りや汚れをきれいに取り除くことができ、隅々までの汚れを取ることができ消臭できる。また、最近の流し台には洗剤置き場７が接続されているものが出ているが、その部分にも水が注入でき、手で洗浄できない部分もきれいに汚れがおとせる。したがって、排水溝周りを衛生的に保つ効果が期待される。【００１６】  また、溜め置きした水を排出するときは、内蓋５を持ち上げながら回して、中蓋８を排水管６の口６ａからはずすとともに、係止片１２をトラップ３の係止部１１に係止させて、中蓋８を排水管６の口６ａの上方に外れた位置に保持させ、水を流すようにする。この際、中蓋８は内蓋５を上方へ持ち上げることにより、排水管６の口６ａから簡単に外せるので中蓋８を取り外すことができ、排水管６の口６ａから排水させることができる。【００１７】  次に図２は本発明の実施の他の形態を示すもので、図１で示した中蓋８に代えて排水管６に嵌入して閉塞させる弾力性のある栓部１３を備えた中蓋８ａとしたものである。トラップ３内に水を溜めて滑り取りを行うときは、中蓋８ａの栓部１３を排水管６の口６ａに嵌入して閉塞させるようにする。なお、ゴミ収集かご４の取り扱いは、図１の実施の形態の場合と同じである。この実施の形態によっても、図１の場合と効果は同じである。【００１９】  図３は内蓋５の変形例を示すもので、内蓋５の天井部を２重構造にして符号１５で示す部分を空洞にし、上面の中央部分に長方形状の穴１６を設け、また上記空洞に、孔１６の長方形の長辺の中央に位置するように該孔１６の長辺に対し直角方向に仕切り板１９を取り付けて、図４に示す工具を使って内蓋５を取り扱えるようにしたものである。すなわち、内蓋５の上面の孔１６に対応させて長方形状の係止板１７を把持部１８の先端部に取り付けた工具を用い、該工具の係止板１７を内蓋５��面の孔１６から空洞内に差込んだ後、該係止板１７を９０度回転させ、孔１６の長方形の長辺と係止板１７が十字になるようにしながら、係止板１７を仕切り板１９に押し当てて内蓋５に係止させるようにする。これにより、内蓋５を手で触らず簡単に扱うことができる。【００２０】  なお、本発明は台所排水溝に適用した場合を示したが、風呂場の排水溝にも同様に使用が可能である。
【図面の簡単な説明】
【００２１】
【図１】本発明の排水溝の滑り取り用蓋の実施の一形態の概要を示す側面図である。
【図２】本発明の実施の他の形態を示す側面図である。
【図３】内蓋の変形例を示す平面図である。
【図４】図３の内蓋の扱いに用いる工具の斜視図である。
【図５】流し台のシンクの部分の斜視図である。
【図６】排水溝のトラップの部分を示す側面図である。
【符号の説明】
【００２２】（１）  排水溝（２）  流し台（３）  トラップ（４）  ゴミ収集かご（５）  内蓋（６）  排水管（６ａ）  排水管の口（７）  洗剤置き場（８）（８ａ）  中蓋（１０）  連結棒（１１）  係止部（１２）  係止片（１２ａ）  係止片（１３）  栓部（１５）  部分（１６）  孔（１７）  係止板（１８）  把持部（１９）  仕切り板
【図１】
0004660851.tif 000002
【図２】
0004660851.tif 000003
【図３】
0004660851.tif 000004
【図４】
0004660851.tif 000005
【図５】
0004660851.tif 000006
【図６】
0004660851.tif 000007